(57)【要約】【課題】稲の不耕起直播栽培において農業従事者の勘と経験を適用しなくても農作業日程を決定できる不耕起直播栽培管理システム等を提供する。【解決手段】地域・品種プロファイル表１１（Ｘ市―稲品種Ａ）には、Ｘ市の平年日平均気温（毎正時２４回の平均）、有効温度（日平均気温―１０℃）及びＤＶＲ値（Ｄｅｖｅｌｏｐｍｅｎｔ　Ｒａｔｅ；日平均気温に対する稲（稲品種Ａ）の発育速度）が記述されている。不耕起直播栽培管理システム１に入水予定日が入力されると、発育速度積算部１０４が、仮定播種日を設定し、仮定播種日に播種される稲のＤＶＲ値を積算する。葉齢算出部１０６は、仮定発芽予定日（ＤＶＲ積算値が１になる日）に発芽する稲の葉齢（有効温度の積算値を変数として算出される。）を算出し、葉齢が３．５葉になる日を仮定入水適期とする。以上の処理が繰り返され、仮定入水適期が入水予定日に最も近くなる仮定播種日が播種日と決定される。【選択図】　図１
2004030449.tif 000002
【特許請求の範囲】
【請求項１】
稲の不耕起直播栽培を管理するための不耕起直播栽培管理システムであって、
過去の気象情報を格納する格納手段と、
前記過去の気象情報に基づいて、播種後の前記稲の予測成長度を算出する発育速度積算手段と、
前記過去の気象情報に基づいて、発芽後の前記稲の予測成長度を算出する葉齢算出手段と、
前記発育速度積算手段により算出された予測成長度と前記葉齢算出手段により算出された予測成長度とに基づいて、前記稲が特定の時期に特定の成長度に達するための前記稲の播種日を決定する播種日決定手段と、
を備えた、
ことを特徴とする不耕起直播栽培管理システム。
【請求項２】
前記発育速度積算手段により算出された予測成長度に基づいて、前記播種日決定手段により決定された播種日に播種される前記稲の播種後除草剤処理適期を決定する播種後除草剤処理適期決定手段を備えたことを特徴とする請求項１記載の不耕起直播栽培管理システム。
【請求項３】
当年の気象情報に基づいて、前記播種後除草剤処理適期決定手段により決定された播種後除草剤処理適期を修正する播種後除草剤処理適期修正手段を備えたことを特徴とする請求項２記載の不耕起直播栽培管理システム。
【請求項４】
前記発育速度積算手段により算出された予測成長度と前記葉齢算出手段により算出された予測成長度とに基づいて、前記播種日決定手段により決定された播種日に播種される前記稲の入水前除草剤処理適期を決定する入水前除草剤処理適期決定手段を備えたことを特徴とする請求項１ないし３のいずれか１項に記載の不耕起直播栽培管理システム。
【請求項５】
当年の気象情報に基づいて、前記入水前除草剤処理適期決定手段により決定された入水前除草剤処理適期を修正する入水前除草剤処理適期修正手段を備えたことを特徴とする請求項４記載の不耕起直播栽培管理システム。
【請求項６】
前記格納手段が前記稲を栽培する田圃に関する情報を格納し、
前記田圃に関する情報に基づき播種後の除草剤処理作業に要する時間を算出する播種後除草剤処理作業時間算出手段と、
前記播種後除草剤処理適期と、前記の播種後の除草剤処理作業に要する時間とに基づき播種後の除草剤処理作業計画を決定する播種後除草剤処理作業計画決定手段と、
を備えた、
ことを特徴とする請求項２又は３に記載の不耕起直播栽培管理システム。
【請求項７】
前記格納手段が前記稲を栽培する田圃に関する情報を格納し、
前記田圃に関する情報に基づき入水前の除草剤処理作業に要する時間を算出する入水前除草剤処理作業時間算出手段と、
前記入水前除草剤処理適期と、前記の入水前の除草剤処理作業に要する時間とに基づき入水前の除草剤処理作業計画を決定する入水前除草剤処理作業計画決定手段と、
を備えた、
ことを特徴とする請求項４又は５に記載の不耕起直播栽培管理システム。
【請求項８】
稲の不耕起直播栽培を管理するための不耕起直播栽培管理方法であって、
発育速度積算手段が、格納手段に格納された過去の気象情報に基づいて、播種後の前記稲の予測成長度を算出する発育速度積算ステップと、
葉齢算出手段が、前記過去の気象情報に基づいて、発芽後の前記稲の予測成長度を算出する葉齢算出ステップと、
播種日決定手段が、前記発育速度積算手段により算出された予測成長度と前記葉齢算出手段により算出された予測成長度とに基づいて、前記稲が特定の時期に特定の成長度に達するための前記稲の播種日を決定する播種日決定ステップと、
を備えた、
ことを特徴とする不耕起直播栽培管理方法。
【請求項９】
播種後除草剤処理適期決定手段が、前記発育速度積算手段により算出された予測成長度に基づいて、前記播種日決定手段により決定された播種日に播種される前記稲の播種後除草剤処理適期を決定する播種後除草剤処理適期決定ステップを備えたことを特徴とする請求項８記載の不耕起直播栽培管理方法。
【請求項１０】
播種後除草剤処理適期修正手段が、当年の気象情報に基づいて、前記播種後除草剤処理適期決定手段により決定された播種後除草剤処理適期を修正する播種後除草剤処理適期修正ステップを備えたことを特徴とする請求項９記載の不耕起直播栽培管理方法。
【請求項１１】
入水前除草剤処理適期決定手段が、前記発育速度積算手段により算出された予測成長度と前記葉齢算出手段により算出された予測成長度とに基づいて、前記播種日決定手段により決定された播種日に播種される前記稲の入水前除草剤処理適期を決定する入水前除草剤処理適期決定ステップを備えたことを特徴とする請求項８ないし１０のいずれか１項に記載の不耕起直播栽培管理方法。
【請求項１２】
入水前除草剤処理適期修正手段が、当年の気象情報に基づいて、前記入水前除草剤処理適期決定手段により決定された入水前除草剤処理適期を修正する入水前除草剤処理適期修正ステップを備えたことを特徴とする請求項１１記載の不耕起直播栽培管理方法。
【請求項１３】
播種後除草剤処理作業時間算出手段が、格納手段に格納された田圃に関する情報に基づき播種後の除草剤処理作業に要する時間を算出する播種後除草剤処理作業時間算出ステップと、
播種後除草剤処理作業計画決定手段が、前記播種後除草剤処理適期と、前記の播種後の除草剤処理作業に要する時間とに基づき播種後の除草剤処理作業計画を決定する播種後除草剤処理作業計画決定ステップと、
を備えた、
ことを特徴とする請求項９又は１０に記載の不耕起直播栽培管理方法。
【請求項１４】
入水前除草剤処理作業時間算出手段が、格納手段に格納された田圃に関する情報に基づき入水前の除草剤処理作業に要する時間を算出する入水前除草剤処理作業時間算出ステップと、
入水前除草剤処理作業計画決定手段が、前記入水前除草剤処理適期と、前記の入水前の除草剤処理作業に要する時間とに基づき入水前の除草剤処理作業計画を決定する入水前除草剤処理作業計画決定ステップと、
を備えた、
ことを特徴とする請求項１１又は１２に記載の不耕起直播栽培管理方法。
【請求項１５】
稲の不耕起直播栽培を管理するための不耕起直播栽培管理プログラムであって、
コンピュータを、
格納手段に格納された過去の気象情報に基づいて、播種後の前記稲の予測成長度を算出する発育速度積算手段と、
前記過去の気象情報に基づいて、発芽後の前記稲の予測成長度を算出する葉齢算出手段と、
前記発育速度積算手段により算出された予測成長度と前記葉齢算出手段により算出された予測成長度とに基づいて、前記稲が特定の時期に特定の成長度に達するための前記稲の播種日を決定する播種日決定手段と
して機能させる、
ことを特徴とする不耕起直播栽培管理プログラム。
【請求項１６】
コンピュータを、
前記発育速度積算手段により算出された予測成長度に基づいて、前記播種日決定手段により決定された播種日に播種される前記稲の播種後除草剤処理適期を決定する播種後除草剤処理適期決定手段として機能させることを特徴とする請求項１５記載の不耕起直播栽培管理プログラム。
【請求項１７】
コンピュータを、
当年の気象情報に基づいて、前記播種後除草剤処理適期決定手段により決定された播種後除草剤処理適期を修正する播種後除草剤処理適期修正手段として機能させることを特徴とする請求項１６記載の不耕起直播栽培管理プログラム。
【請求項１８】
コンピュータを、
前記発育速度積算手段により算出された予測成長度と前記葉齢算出手段により算出された予測成長度とに基づいて、前記播種日決定手段により決定された播種日に播種される前記稲の入水前除草剤処理適期を決定する入水前除草剤処理適期決定手段として機能させることを特徴とする請求項１５ないし１７のいずれか１項に記載の不耕起直播栽培管理プログラム。
【請求項１９】
コンピュータを、
当年の気象情報に基づいて、前記入水前除草剤処理適期決定手段により決定された入水前除草剤処理適期を修正する入水前除草剤処理適期修正手段として機能させることを特徴とする請求項１８記載の不耕起直播栽培管理プログラム。
【請求項２０】
コンピュータを、
格納手段に格納された田圃に関する情報に基づき播種後の除草剤処理作業に要する時間を算出する播種後除草剤処理作業時間算出手段と、
前記播種後除草剤処理適期と、前記の播種後の除草剤処理作業に要する時間とに基づき播種後の除草剤処理作業計画を決定する播種後除草剤処理作業計画決定手段と
して機能させる、
ことを特徴とする請求項１６又は１７に記載の不耕起直播栽培管理プログラム。
【請求項２１】
コンピュータを、
格納手段に格納された田圃に関する情報に基づき入水前の除草剤処理作業に要する時間を算出する入水前除草剤処理作業時間算出手段と、
前記入水前除草剤処理適期と、前記の入水前の除草剤処理作業に要する時間とに基づき入水前の除草剤処理作業計画を決定する入水前除草剤処理作業計画決定手段と
して機能させる、
ことを特徴とする請求項１８又は１９に記載の不耕起直播栽培管理プログラム。
【請求項２２】
請求項１５ないし２１のいずれか１項に記載の不耕起直播栽培管理プログラムを記録したコンピュータ読み取り可能な記録媒体。
【発明の詳細な説明】
【０００１】
【発明の属する技術分野】
本発明は、不耕起直播栽培管理システム、不耕起直播栽培管理方法、不耕起直播栽培管理プログラム及び不耕起直播栽培管理プログラムを記録したコンピュータ読み取り可能な記録媒体（以下、単に「記録媒体」という。）に関するものである。
【０００２】
【従来の技術】
近年、稲作の国際競争力を高めるために稲作農業の合理化・大規模化が要請されている。稲作農業を合理化する手段として、不耕起直播栽培（Ｃｏｎｓｅｒｖａｔｉｏｎ　Ｔｉｌｌａｇｅ）技術が注目を集めている。すなわち、不耕起直播栽培によれば田圃の耕起作業及び苗の移植作業が不要になる上、農作業全体を大型機械化することができるので、不耕起直播栽培は稲作農業の合理化に適している。不耕起直播栽培では従来の移植栽培による稲作とは異なるきめ細かな栽培管理が必要になるが、不耕起直播栽培の大規模化を実現するためには、特定の地域の田圃における不耕起直播栽培の勘と経験を有さない者でも栽培管理ができるようにする農作業支援システムが要求される。
【０００３】
【発明が解決しようとする課題】
しかしながら、これまでの稲の不耕起栽培においては経験則により農作業日程を決定している。すなわち、稲の不耕起栽培においては、未だ農業従事者の勘と経験を適用する必要があるという問題点があった。
【０００４】
本発明は、上記問題を解決するためになされたものであり、稲の不耕起直播栽培において農業従事者の勘と経験を適用しなくても農作業日程を決定できる不耕起直播栽培管理システム、不耕起直播栽培管理方法、不耕起直播栽培管理プログラム及び不耕起直播栽培管理プログラムを記録した記録媒体を提供することを目的とする。
【０００５】
【課題を解決するための手段】
上記目的を達成するために、本発明の不耕起直播栽培管理システムは、稲の不耕起直播栽培を管理するための不耕起直播栽培管理システムであって、過去の気象情報を格納する格納手段と、前記過去の気象情報に基づいて、播種後の前記稲の予測成長度を算出する発育速度積算手段と、前記過去の気象情報に基づいて、発芽後の前記稲の予測成長度を算出する葉齢算出手段と、前記発育速度積算手段により算出された予測成長度と前記葉齢算出手段により算出された予測成長度とに基づいて、前記稲が特定の時期に特定の成長度に達するための前記稲の播種日を決定する播種日決定手段と、を備えたことを特徴とする。
【０００６】
発育速度積算手段及び葉齢算出手段が、格納手段に格納された過去の気象情報に基づいて稲の予測成長度を算出するので、播種日決定手段が、稲が特定の時期（入水日）に特定の成長度に達するための稲の播種日を決定することができる。そのため、農業従事者の勘と経験を適用しなくても農作業日程を決定できる。
【０００７】
本発明の不耕起直播栽培管理システムは、前記発育速度積算手段により算出された予測成長度に基づいて、前記播種日決定手段により決定された播種日に播種される前記稲の播種後除草剤処理適期を決定する播種後除草剤処理適期決定手段を備えたことが好適である。
【０００８】
播種日決定手段により決定された播種日に播種される稲について、発育速度積算手段により算出された予測成長度を利用することにより、播種後除草剤処理適期を容易に決定することができる。
【０００９】
本発明の不耕起直播栽培管理システムは、当年の気象情報に基づいて、前記播種後除草剤処理適期決定手段により決定された播種後除草剤処理適期を修正する播種後除草剤処理適期修正手段を備えたことが好適である。
【００１０】
除草剤処理は、稲の実際の成長度に応じてこれを行う時期を調整する必要がある。特に、播種後除草剤処理は、使用する除草剤の特性の点から、実際に稲が発芽する前の一定期間に行う必要がある。播種後除草剤処理適期修正手段が当年の気象情報に基づいて播種後除草剤処理適期を修正するので、稲の実際の成長度に応じて播種後除草剤処理の時期を調整することができる。
【００１１】
本発明の不耕起直播栽培管理システムは、前記発育速度積算手段により算出された予測成長度と前記葉齢算出手段により算出された予測成長度とに基づいて、前記播種日決定手段により決定された播種日に播種される前記稲の入水前除草剤処理適期を決定する入水前除草剤処理適期決定手段を備えたこと好適である。
【００１２】
播種日決定手段により決定された播種日に播種される稲について、発育速度積算手段により算出された予測成長度と葉齢算出手段により算出された予測成長度とを利用することにより、入水前除草剤処理適期を容易に決定することができる。
【００１３】
本発明の不耕起直播栽培管理システムは、当年の気象情報に基づいて、前記入水前除草剤処理適期決定手段により決定された入水前除草剤処理適期を修正する入水前除草剤処理適期修正手段を備えたことが好適である。
【００１４】
除草剤処理は、稲の実際の成長度に応じてこれを行う時期を調整する必要がある。入水前除草剤処理適期修正手段が当年の気象情報に基づいて入水前除草剤処理適期を修正するので、稲の実際の成長度に応じて入水前除草剤処理の時期を調整することができる。
【００１５】
本発明の不耕起直播栽培管理システムは、前記格納手段が前記稲を栽培する田圃に関する情報を格納し、前記田圃に関する情報に基づき播種後の除草剤処理作業に要する時間を算出する播種後除草剤処理作業時間算出手段と、前記播種後除草剤処理適期と、前記の播種後の除草剤処理作業に要する時間とに基づき播種後の除草剤処理作業計画を決定する播種後除草剤処理作業計画決定手段と、を備えたことが好適である。
【００１６】
播種後除草剤処理作業時間算出手段が、格納手段に格納された稲を栽培する田圃に関する情報（例えば、田圃の大きさや形）に基づき播種後の除草剤処理作業に要する時間を算出し、播種後除草剤処理作業計画決定手段が、播種後除草剤処理適期に加えて、播種後除草剤処理作業時間算出手段により算出された播種後の除草剤処理作業に要する時間を利用するので、田圃の特性に応じて効率的な播種後の除草剤処理作業計画を決定することができる。
【００１７】
本発明の不耕起直播栽培管理システムは、前記格納手段が前記稲を栽培する田圃に関する情報を格納し、前記田圃に関する情報に基づき入水前の除草剤処理作業に要する時間を算出する入水前除草剤処理作業時間算出手段と、前記入水前除草剤処理適期と、前記の入水前の除草剤処理作業に要する時間とに基づき入水前の除草剤処理作業計画を決定する入水前除草剤処理作業計画決定手段と、を備えたことが好適である。
【００１８】
入水前除草剤処理作業時間算出手段が、格納手段に格納された稲を栽培する田圃に関する情報（例えば、田圃の大きさや形）に基づき入水前の除草剤処理作業に要する時間を算出し、入水前除草剤処理作業計画決定手段が、入水前除草剤処理適期に加えて、入水前除草剤処理作業時間算出手段により算出された入水前の除草剤処理作業に要する時間を利用するので、田圃の特性に応じて効率的な入水前の除草剤処理作業計画を決定することができる。
【００１９】
本発明の不耕起直播栽培管理方法は、稲の不耕起直播栽培を管理するための不耕起直播栽培管理方法であって、発育速度積算手段が、格納手段に格納された過去の気象情報に基づいて、播種後の前記稲の予測成長度を算出する発育速度積算ステップと、葉齢算出手段が、前記過去の気象情報に基づいて、発芽後の前記稲の予測成長度を算出する葉齢算出ステップと、播種日決定手段が、前記発育速度積算手段により算出された予測成長度と前記葉齢算出手段により算出された予測成長度とに基づいて、前記稲が特定の時期に特定の成長度に達するための前記稲の播種日を決定する播種日決定ステップと、を備えたことを特徴とする。
【００２０】
発育速度積算手段及び葉齢算出手段が、格納手段に格納された過去の気象情報に基づいて稲の予測成長度を算出するので、播種日決定手段が、稲が特定の時期（入水日）に特定の成長度に達するための稲の播種日を決定することができる。そのため、農業従事者の勘と経験を適用しなくても農作業日程を決定できる。
【００２１】
本発明の不耕起直播栽培管理方法は、播種後除草剤処理適期決定手段が、前記発育速度積算手段により算出された予測成長度に基づいて、前記播種日決定手段により決定された播種日に播種される前記稲の播種後除草剤処理適期を決定する播種後除草剤処理適期決定ステップを備えたことが好適である。
【００２２】
播種日決定手段により決定された播種日に播種される稲について、発育速度積算手段により算出された予測成長度を利用することにより、播種後除草剤処理適期を容易に決定することができる。
【００２３】
本発明の不耕起直播栽培管理方法は、播種後除草剤処理適期修正手段が、当年の気象情報に基づいて、前記播種後除草剤処理適期決定手段により決定された播種後除草剤処理適期を修正する播種後除草剤処理適期修正ステップを備えたことが好適である。
【００２４】
除草剤処理は、稲の実際の成長度に応じてこれを行う時期を調整する必要がある。特に、播種後除草剤処理は、実際に稲が発芽する前に行う必要がある。播種後除草剤処理適期修正手段が当年の気象情報に基づいて播種後除草剤処理適期を修正するので、稲の実際の成長度に応じて播種後除草剤処理の時期を調整することができる。
【００２５】
本発明の不耕起直播栽培管理方法は、入水前除草剤処理適期決定手段が、前記発育速度積算手段により算出された予測成長度と前記葉齢算出手段により算出された予測成長度とに基づいて、前記播種日決定手段により決定された播種日に播種される前記稲の入水前除草剤処理適期を決定する入水前除草剤処理適期決定ステップを備えたことが好適である。
【００２６】
播種日決定手段により決定された播種日に播種される稲について、発育速度積算手段により算出された予測成長度と葉齢算出手段により算出された予測成長度とを利用することにより、入水前除草剤処理適期を容易に決定することができる。
【００２７】
本発明の不耕起直播栽培管理方法は、入水前除草剤処理適期修正手段が、当年の気象情報に基づいて、前記入水前除草剤処理適期決定手段により決定された入水前除草剤処理適期を修正する入水前除草剤処理適期修正ステップを備えたことが好適である。
【００２８】
除草剤処理は、稲の実際の成長度に応じてこれを行う時期を調整する必要がある。入水前除草剤処理適期修正手段が当年の気象情報に基づいて入水前除草剤処理適期を修正するので、稲の実際の成長度に応じて入水前除草剤処理の時期を調整することができる。
【００２９】
本発明の不耕起直播栽培管理方法は、播種後除草剤処理作業時間算出手段が、格納手段に格納された田圃に関する情報に基づき播種後の除草剤処理作業に要する時間を算出する播種後除草剤処理作業時間算出ステップと、播種後除草剤処理作業計画決定手段が、前記播種後除草剤処理適期と、前記の播種後の除草剤処理作業に要する時間とに基づき播種後の除草剤処理作業計画を決定する播種後除草剤処理作業計画決定ステップと、を備えたことが好適である。
【００３０】
播種後除草剤処理作業時間算出手段が、格納手段に格納された稲を栽培する田圃に関する情報（例えば、田圃の大きさや形）に基づき播種後の除草剤処理作業に要する時間を算出し、播種後除草剤処理作業計画決定手段が、播種後除草剤処理適期に加えて、播種後除草剤処理作業時間算出手段により算出された播種後の除草剤処理作業に要する時間を利用するので、田圃の特性に応じた播種後の除草剤処理作業計画を決定することができる。
【００３１】
本発明の不耕起直播栽培管理方法は、入水前除草剤処理作業時間算出手段が、格納手段に格納された田圃に関する情報に基づき入水前の除草剤処理作業に要する時間を算出する入水前除草剤処理作業時間算出ステップと、入水前除草剤処理作業計画決定手段が、前記入水前除草剤処理適期と、前記の入水前の除草剤処理作業に要する時間とに基づき入水前の除草剤処理作業計画を決定する入水前除草剤処理作業計画決定ステップと、を備えたことが好適である。
【００３２】
入水前除草剤処理作業時間算出手段が、格納手段に格納された稲を栽培する田圃に関する情報（例えば、田圃の大きさや形）に基づき入水前の除草剤処理作業に要する時間を算出し、入水前除草剤処理作業計画決定手段が、入水前除草剤処理適期に加えて、入水前除草剤処理作業時間算出手段により算出された入水前の除草剤処理作業に要する時間を利用するので、田圃の特性に応じた入水前の除草剤処理作業計画を決定することができる。
【００３３】
本発明の不耕起直播栽培管理プログラムは、稲の不耕起直播栽培を管理するための不耕起直播栽培管理プログラムであって、コンピュータを、格納手段に格納された過去の気象情報に基づいて、播種後の前記稲の予測成長度を算出する発育速度積算手段と、前記過去の気象情報に基づいて、発芽後の前記稲の予測成長度を算出する葉齢算出手段と、前記発育速度積算手段により算出された予測成長度と前記葉齢算出手段により算出された予測成長度とに基づいて、前記稲が特定の時期に特定の成長度に達するための前記稲の播種日を決定する播種日決定手段として機能させることを特徴とする。
【００３４】
発育速度積算手段として機能する発育速度積算モジュール及び葉齢算出手段として機能する葉齢算出モジュールが、格納手段（格納領域）に格納された過去の気象情報に基づいて稲の予測成長度を算出するので、播種日決定手段として機能する播種日決定モジュールが、稲が特定の時期（入水日）に特定の成長度に達するための稲の播種日を決定することができる。そのため、農業従事者の勘と経験を適用しなくても農作業日程を決定できる。
【００３５】
本発明の不耕起直播栽培管理プログラムは、コンピュータを、前記発育速度積算手段により算出された予測成長度に基づいて、前記播種日決定手段により決定された播種日に播種される前記稲の播種後除草剤処理適期を決定する播種後除草剤処理適期決定手段として機能させることが好適である。
【００３６】
播種日決定手段として機能する播種日決定モジュールにより決定された播種日に播種される稲について、発育速度積算手段として機能する発育速度積算モジュールにより算出された予測成長度を利用することにより、播種後除草剤処理適期を容易に決定することができる。
【００３７】
本発明の不耕起直播栽培管理プログラムは、コンピュータを、当年の気象情報に基づいて、前記播種後除草剤処理適期決定手段により決定された播種後除草剤処理適期を修正する播種後除草剤処理適期修正手段として機能させることが好適である。
【００３８】
除草剤処理は、稲の実際の成長度に応じてこれを行う時期を調整する必要がある。特に、播種後除草剤処理は、実際に稲が発芽する前に行う必要がある。播種後除草剤処理適期修正手段として機能する播種後除草剤処理適期修正モジュールが当年の気象情報に基づいて播種後除草剤処理適期を修正するので、稲の実際の成長度に応じて播種後除草剤処理の時期を調整することができる。
【００３９】
本発明の不耕起直播栽培管理プログラムは、コンピュータを、前記発育速度積算手段により算出された予測成長度と前記葉齢算出手段により算出された予測成長度とに基づいて、前記播種日決定手段により決定された播種日に播種される前記稲の入水前除草剤処理適期を決定する入水前除草剤処理適期決定手段として機能させることが好適である。
【００４０】
播種日決定手段として機能する播種日決定モジュールにより決定された播種日に播種される稲について、発育速度積算手段として機能する発育速度積算モジュールにより算出された予測成長度と葉齢算出手段として機能する葉齢算出モジュールにより算出された予測成長度とを利用することにより、入水前除草剤処理適期を容易に決定することができる。
【００４１】
本発明の不耕起直播栽培管理プログラムは、コンピュータを、当年の気象情報に基づいて、前記入水前除草剤処理適期決定手段により決定された入水前除草剤処理適期を修正する入水前除草剤処理適期修正手段として機能させることが好適である。
【００４２】
除草剤処理は、稲の実際の成長度に応じてこれを行う時期を調整する必要がある。入水前除草剤処理適期修正手段として機能する入水前除草剤処理適期修正モジュールが当年の気象情報に基づいて入水前除草剤処理適期を修正するので、稲の実際の成長度に応じて入水前除草剤処理の時期を調整することができる。
【００４３】
本発明の不耕起直播栽培管理プログラムは、コンピュータを、格納手段に格納された田圃に関する情報に基づき播種後の除草剤処理作業に要する時間を算出する播種後除草剤処理作業時間算出手段と、前記播種後除草剤処理適期と、前記の播種後の除草剤処理作業に要する時間とに基づき播種後の除草剤処理作業計画を決定する播種後除草剤処理作業計画決定手段として機能させることが好適である。
【００４４】
播種後除草剤処理作業時間算出手段として機能する播種後除草剤処理作業時間算出モジュールが、格納手段（格納領域）に格納された稲を栽培する田圃に関する情報（例えば、田圃の大きさや形）に基づき播種後の除草剤処理作業に要する時間を算出し、播種後除草剤処理作業計画決定手段として機能する播種後除草剤処理作業計画決定モジュールが、播種後除草剤処理適期に加えて、播種後除草剤処理作業時間算出手段として機能する播種後除草剤処理作業時間算出モジュールにより算出された播種後の除草剤処理作業に要する時間を利用するので、田圃の特性に応じた播種後の除草剤処理作業計画を決定することができる。
【００４５】
本発明の不耕起直播栽培管理プログラムは、コンピュータを、格納手段に格納された田圃に関する情報に基づき入水前の除草剤処理作業に要する時間を算出する入水前除草剤処理作業時間算出手段と、前記入水前除草剤処理適期と、前記の入水前の除草剤処理作業に要する時間とに基づき入水前の除草剤処理作業計画を決定する入水前除草剤処理作業計画決定手段として機能させることが好適である。
【００４６】
入水前除草剤処理作業時間算出手段として機能する入水前除草剤処理作業時間算出モジュールが、格納手段（格納領域）に格納された稲を栽培する田圃に関する情報（例えば、田圃の大きさや形）に基づき入水前の除草剤処理作業に要する時間を算出し、入水前除草剤処理作業計画決定手段として機能する入水前除草剤処理作業計画決定モジュールが、入水前除草剤処理適期に加えて、入水前除草剤処理作業時間算出手段として機能する入水前除草剤処理作業時間算出モジュールにより算出された入水前の除草剤処理作業に要する時間を利用するので、田圃の特性に応じた入水前の除草剤処理作業計画を決定することができる。
【００４７】
本発明の記録媒体は、上記いずれかに記載の不耕起直播栽培管理プログラムを記録したことを特徴する。
【００４８】
発育速度積算手段として機能する発育速度積算モジュール及び葉齢算出手段として機能する葉齢算出モジュールが、格納手段（格納領域）に格納された過去の気象情報に基づいて稲の予測成長度を算出するので、播種日決定手段として機能する播種日決定モジュールが、稲が特定の時期（入水日）に特定の成長度に達するための稲の播種日を決定することができる。そのため、農業従事者の勘と経験を適用することもなく適切な農作業日程を決定できる。
【００４９】
【発明の実施の形態】
以下、添付図面を参照して、本発明の不耕起直播栽培管理システム、不耕起直播栽培管理方法、不耕起直播栽培管理プログラム及び不耕起直播栽培管理プログラムを記録した記録媒体の好適な実施形態について詳細に説明する。
【００５０】
まず、本実施形態の不耕起直播栽培管理システム１の機能的構成を説明する。図１は、不耕起直播栽培管理システム１の機能的構成を示す図である。図１に示すとおり、不耕起直播栽培管理システム１は、格納部１０２、発育速度積算部１０４、葉齢算出部１０６、播種日決定部１０８、播種後除草剤処理適期決定部１２０、播種後除草剤処理適期修正部１２２、播種後除草剤処理作業時間算出部１２４、播種後除草剤処理作業計画決定部１２６、入水前除草剤処理適期決定部１４０、入水前除草剤処理適期修正部１４２、入水前除草剤処理作業時間算出部１４４及び入水前除草剤処理作業計画決定部１４６を備える。
【００５１】
以下、各機能的構成要素を説明する（ただし、各機能的構成要素の具体的動作は後述する。）。格納部１０２は、地域・品種プロファイル表１１及び１２、ＤＶＲ値データベース１１ａ及び１２ａを格納する。図２は、地域・品種プロファイル表１１の内容を示し、図３は、ＤＶＲ値データベース１１ａの内容を示す。同様に、図４は、地域・品種プロファイル表１２の内容を示し、図５は、ＤＶＲ値データベース１２ａの内容を示す。
【００５２】
地域・品種プロファイル表は、特定の地域における過去の気象情報と当該過去の気象情報に基づく特定の品種の稲の生育予測に関するデータが記述されたものである。本実施形態で説明する地域・品種プロファイル表１１は、Ｘ市における過去の気象情報と当該過去の気象情報に基づく稲品種Ａ（稲の早生品種）の生育予測に関するデータが記述されたものであり、地域・品種プロファイル表１２は、Ｘ市における過去の気象情報と当該過去の気象情報に基づく稲品種Ｂ（稲の中生品種）の生育予測に関するデータが記述されたものである。
【００５３】
地域・品種プロファイル表１１は、日平均気温フィールド、有効温度フィールド、ＤＶＲ値フィールド及び生育予測・作業日程フィールドを備え、３月２５日から５月３１日までの各日のレコードに各フィールドの該当するデータが記述される（該当するデータがない部分は空欄）。
【００５４】
日平均気温フィールドは、当年サブフィールドと平年サブフィールドとにより構成されている。平年サブフィールドには、予め、平年の日平均気温（毎正時２４回の平均）が各レコードに記述されている。また、当年サブフィールドには、当年の日平均気温が各レコードに記述されていく。
【００５５】
有効温度フィールドは、当年サブフィールドと平年サブフィールドとにより構成されている。平年サブフィールドには、予め、平年の有効温度が各レコードに記述されている。また、当年サブフィールドには、当年の有効温度が各レコードに記述されていく。ここで、有効温度は、（日平均気温−１０℃）により定義される。
【００５６】
ＤＶＲ値フィールドは、当年サブフィールドと平年サブフィールドとにより構成されている。平年サブフィールドには、予め、平年のＤＶＲ値が各レコードに記述されている。また、当年サブフィールドには、当年のＤＶＲ値が各レコードに記述されていく。ここで、ＤＶＲ値（Ｄｅｖｅｌｏｐｍｅｎｔ　Ｒａｔｅ）は、日平均気温に対する特定の品種の稲の一日当たりの成長量を示す尺度（以下、「発育速度」という。）であり、稲が発芽するときの積算値を１とする。
【００５７】
生育予測・作業日程フィールドは、当年サブフィールド、平年サブフィールド及び作業日程サブフィールドにより構成されている。平年サブフィールドには、播種日決定部１０８により決定された播種日に播種される稲について、ＤＶＲ値フィールド−平年サブフィ−ルドに記述されたＤＶＲ値の積算が各レコードに記述され、また発芽予定日（ＤＶＲ値（平年）の積算が１になる日）の翌日以降のレコードには葉齢（有効温度から算出される発芽後の稲の成長度を示す尺度）が記述されている。当年サブフィールドには、播種日決定部１０８により決定された播種日に播種される稲について、ＤＶＲ値フィールド−当年サブフィールドに記述されるＤＶＲ値の積算が各レコードに記述されていき、また発芽日（ＤＶＲ値（当年）の積算が１になる日）の翌日以降のレコードには葉齢が記述されていく。作業日程サブフィールドには、不耕起直播栽培管理システム１で決定される作業日程（播種日、播種後除草剤処理適期及び入水前除草剤処理適期）並びに発芽日予定日、発芽日及び入水予定日が記述される。
【００５８】
地域・品種プロファイル表１２は、地域・品種プロファイル表１１と構成を同じくし、ＤＶＲ値フィールド及び生育予測・作業日程フィールドにおけるデータが稲品種ＢのＤＶＲ値に基づくものになる。
【００５９】
ＤＶＲ値データベース１１ａは、日平均気温０℃ないし２８℃に対する稲品種ＡのＤＶＲ値が記述されたものである。同様に、ＤＶＲ値データベース１２ａは、日平均気温１℃ないし２８℃に対する稲品種ＢのＤＶＲ値が記述されたものである。
【００６０】
また、格納部１０２は、田圃情報データベース１３を格納する。田圃情報データベース１３には、対象となる田圃（不耕起直播栽培管理システム１の管理する稲が栽培される田圃）について広さ、形、周辺の農道の状況などの情報が記述されている。
【００６１】
発育速度積算部１０４は、仮定された播種日に播種される稲について、地域・品種プロファイル表１１又は１２のＤＶＲ値フィールドに記述されるＤＶＲ値を積算し、当該稲の発芽予定日を決定する機能を有する。
【００６２】
葉齢算出部１０６は、仮定された播種日に播種される稲について、発芽予定日からの有効温度の積算に基づいて葉齢を算出し、入水適期（葉齢（平年）が３．５葉になる時期）を決定する機能を有する。
【００６３】
播種日決定部１０８は、発育速度積算部１０４により算出されるＤＶＲ積算値及び葉齢算出部１０６により算出される葉齢を用いて、稲が入水適期が入水日予定日に最も近くなるように播種日を決定する機能を有する。具体的には、発育速度積算部１０４及び葉齢算出部１０６により、仮定された播種日（仮定播種日）に播種される稲が３．５葉になる日（仮定入水適期）が算出され、播種日決定部１０８が入水予定日と仮定入水適期とが最も近くなるときに、当該仮定播種日を播種日と決定する。
【００６４】
播種後除草剤処理適期決定部１２０は、播種日決定部１０８により決定された播種日に播種される稲について、発育速度積算部１０４により決定された発芽予定日（積算ＤＶＲ値（平年）が１になる日）から所定の日数を減ずることによって播種後除草剤処理適期の始期を決定する。また、播種後除草剤処理適期決定部１２０は、同様の減算処理を行うことによって播種後除草剤処理適期の終期を決定する。
【００６５】
播種後除草剤処理適期修正部１２２は、ＤＶＲ積算値（当年）に基づいて、播種後除草剤処理適期を修正する機能を有する。具体的には、ＤＶＲ積算値（当年）が所定の値になる日が播種後除草剤処理適期決定部１２０により決定された播種後除草剤処理適期の始期よりも早かった場合に、当該日が播種後除草剤処理適期の始期になるように、播種後除草剤処理適期を修正する。播種後除草剤処理適期の終期についても同様に修正される。
【００６６】
播種後除草剤処理作業時間算出部１２４は、田圃情報データベース１３の情報に基づき播種後の除草剤処理作業に要する時間を算出する機能を有する。
【００６７】
播種後除草剤処理作業計画決定部１２６は、播種後除草剤処理適期修正部１２２によって修正された播種後除草剤処理適期と播種後の除草剤処理作業に要する時間とに基づき播種後除草剤処理作業計画（最適化された田圃毎の除草剤処理作業の計画）を決定する機能を有する。
【００６８】
入水前除草剤処理適期決定部１４０は、播種日決定部１０８により決定された播種日に播種される稲について、葉齢算出部１０６により決定された入水適期（葉齢（平年）が３．５葉になる時期）から所定の日数を減ずることによって入水前除草剤処理適期の始期を決定する。また、入水前除草剤処理適期決定部１２０は、同様の減算処理を行うことによって入水前除草剤処理適期の終期を決定する。
【００６９】
入水前除草剤処理適期修正部１４２は、葉齢（当年）に基づいて、入水前除草剤処理適期を修正する機能を有する。具体的には、葉齢（当年）が所定の値になる日が入水前除草剤処理適期決定部１４０により決定された入水前除草剤処理適期の始期よりも早かった場合に、当該日が入水前除草剤処理適期の始期になるように、入水前除草剤処理適期を修正する。入水前除草剤処理適期の終期についても同様に修正される。
【００７０】
入水前除草剤処理作業時間算出部１４４は、田圃情報データベース１３の情報に基づき入水前の除草剤処理作業に要する時間を算出する機能を有する。
【００７１】
入水前除草剤処理作業計画決定部１４６は、入水前除草剤処理適期修正部１４２によって修正された入水前除草剤処理適期と入水前の除草剤処理作業に要する時間とに基づき入水前除草剤処理作業計画（最適化された田圃毎の除草剤処理作業の計画）を決定する機能を有する。
【００７２】
次に、不耕起直播栽培管理システム１の動作を説明する。図６ないし図１０は、不耕起直播栽培管理システム１の動作の手順を示すフローチャートである。まず、図６を参照して、播種日決定部１０８が播種日を決定する動作を説明する。最初に、不耕起直播栽培管理システム１に入水予定日が入力される（Ｓ６１１）。入水予定日は、対象となる田圃周辺において一斉に入水が行われる日に設定される。一般に、入水は、周辺の田圃における入水と併せて行われる必要がある。そのため、入水予定日は、播種日決定部１０８が播種日を決定する上で所与の値とされる。
【００７３】
発育速度積算部１０４は、入水予定日から通常播種から発芽までに要する日数と発芽から葉齢（平年）が３．５葉になるまでに要する日数との合計を減じた日を仮定播種日とする（Ｓ６１２）。
【００７４】
発育速度積算部１０４は、仮定播種日に播種される稲のＤＶＲ値（平年）を積算し（Ｓ６１３）、積算ＤＶＲ値（平年）が１になる日を仮定発芽予定日と決定する（Ｓ６１４）。具体的には、地域・品種プロファイル表の日平均気温フィールド−平年サブフィールド及びＤＶＲ値データベースを参照して、３月２５日から５月３１日までの各日のＤＶＲ値を算出して、地域・品種プロファイル表のＤＶＲ値フィールド−平年サブフィールドに記述する。ただし、ＤＶＲ値は、ＤＶＲ値データベースに基づき式▲１▼に表す補間式から算出される。
ＤＶＲ（Ｔ）＝ＤＶＲ（Ｔｉ）＋Ｔｄ（ＤＶＲ（Ｔ（ｉ＋１））−ＤＶＲ（Ｔｉ））…▲１▼
Ｔｉ：日平均気温Ｔの整数部分
Ｔｄ：日平均気温Ｔの少数部分
【００７５】
発育速度積算部１０４は、仮定播種日の翌日から算出対象日（ＤＶＲ値算出の対象となる日）までの地域・品種プロファイル表のＤＶＲ値フィールド−平年サブフィールドに記述されたＤＶＲ値を合計し、地域・品種プロファイル表の生育予測・作業日程フィールド−平年サブフィールドの該当するレコードに記述する。
【００７６】
葉齢算出部１０６は、仮定発芽予定日に発芽する稲の葉齢（平年）を算出し（Ｓ６１５）、葉齢（平年）が３．５葉になる日を仮定入水適期と決定する（Ｓ６１６）。具体的には、地域・品種プロファイル表の有効温度フィールド−平年サブフィールドを参照して、式▲２▼に表す算出式から算出対象日（葉齢算出の対象となる日）の葉齢Ａを算出して、地域・品種プロファイル表の生育予測・作業日程フィールド−平年サブフィールドの該当するレコードに記述する。
Ａ＝Ｃ１・ＳＵＭ−Ｃ２・ＳＵＭ２−Ｃ３…▲２▼
Ａ：葉齢
ＳＵＭ：　仮定発芽予定日の翌日から算出対象日までの各日の有効温度の合　計
Ｃ１＝０．０２９５（定数）
Ｃ２＝０．００００２９４（定数）
Ｃ３＝１．８１（定数）
【００７７】
播種日決定部１０８は、入水予定日と上記により得られた仮定入水適期とを比較し（Ｓ６１７）、比較の結果、両者が一致する場合には、当該仮定播種日を播種日と決定する（Ｓ６１８）。比較の結果、両者が一致しない場合には、発育速度積算部１０４により別の仮定播種日（仮定入水適期が入水予定日よりも遅かった場合には仮定播種日の前日を別の仮定播種日とし、仮定入水適期が入水予定日よりも早かった場合には仮定播種日の翌日を別の仮定播種日とする。）が設定され（Ｓ６１２）、上記の処理（Ｓ６１３ないしＳ６１７）が繰り返される。仮定入水適期と入水予定日とが一致する仮定播種日がない場合には、仮定入水適期が入水予定日に最も近くなる仮定播種日が播種日とされる。
【００７８】
播種後除草剤処理適期決定部１２０は、次のように播種後除草剤処理適期を決定する（Ｓ６１９）。播種後除草剤処理適期決定部１２０は、発芽予定日（播種日決定部１０８によって播種日と決定された仮定播種日から算出された仮定発芽予定日）の例えば１２日前の日（平年のＤＶＲ値に基づいてＤＶＲ積算値がほぼ０．４になる日）を播種後除草剤処理適期の始期とする。また、播種後除草剤処理適期決定部１２０は、発芽予定日の例えば７日前の日（平年のＤＶＲ値に基づいてＤＶＲ積算値がほぼ０．７になる日）を播種後除草剤処理適期の終期とする。
【００７９】
入水前除草剤処理適期決定部１４０は、次のように入水前除草剤処理適期を決定する（Ｓ６２０）。入水前除草剤処理適期決定部１４０は、入水適期（播種日決定部１０８によって播種日と決定された仮定播種日から算出された仮定入水適期）の１２日前の日（平年の有効温度に基づいて葉齢がほぼ１．５葉になる日）を入水前除草剤処理適期の始期とする。また、入水前除草剤処理適期決定部１４０は、入水適期の７日前の日（平年の有効温度に基づいて葉齢がほぼ２．５葉になる日）を入水前除草剤処理適期の終期とする。
【００８０】
次に、図７を参照して、播種後除草剤処理適期修正部１２２が播種後除草剤処理適期を修正する動作を説明する。発育速度積算部１０４は、地域・品種プロファイル表の日平均気温フィールド−当年サブフィールドを参照して、播種日決定部１０８により決定された播種日に播種される稲のＤＶＲ値（当年）を積算する（Ｓ７１１）。
【００８１】
播種後除草剤処理適期修正部１２２は、当年のＤＶＲ積算値が０．４になる日と播種後除草剤処理適期の始期とを比較し（Ｓ７１２）、当年のＤＶＲ積算値が０．４になる日の方が早い場合に、当年のＤＶＲ積算値が０．４になる日が播種後除草剤処理適期の始期となるように播種後除草剤処理適期を修正する（Ｓ７１３）。
【００８２】
播種後除草剤処理適期修正部１２２は、当年のＤＶＲ積算値が０．７になる日と播種後除草剤処理適期の終期とを比較し（Ｓ７１４）、当年のＤＶＲ積算値が０．７になる日の方が早い場合に、当年のＤＶＲ積算値が０．７になる日が播種後除草剤処理適期の終期となるように播種後除草剤処理適期を修正する（Ｓ７１５）。
【００８３】
次に、図８を参照して、播種後除草剤処理作業計画決定部１２６が、播種後除草剤処理作業計画を決定する動作を説明する。播種後除草剤処理作業時間算出部１２４が、田圃情報データベース１３の情報（田圃の広さ、形、周辺の農道の状況等）を用いて、播種後の除草剤処理作業に要する時間を算出する（Ｓ８１１）。例えば、田圃の広さ及び形から除草剤処理作業機が田圃の端から端まで移動するのに要する時間及び移動回数並びに除草剤処理作業機のターン回数を算出し、除草剤処理作業機が田圃の端から端まで移動するのに要する時間と移動回数との積と、除草剤処理作業機がターンに要する時間とターン回数との積とを合計することにより除草剤処理作業時間を算出する。また、除草剤処理作業機が農道を移動する必要がある場合には、周辺の農道の状況から移動時間を算出して除草剤処理作業時間に加算する。播種後除草剤処理作業計画決定部１２６が、播種後の除草剤処理作業に要する時間を播種後除草剤処理適期（修正後）の日数で除することにより一日当たりの除草剤処理作業時間を決定する（Ｓ８１２）。
【００８４】
次に、図９を参照して、入水前除草剤処理適期修正部１４２が入水前除草剤処理適期を修正する動作を説明する。葉齢算出部１０６は、地域・品種プロファイル表の有効温度フィールド−当年サブフィールドを参照して、播種日決定部１０８により決定された播種日に播種される稲の葉齢（当年）を算出する（Ｓ９１１）。
【００８５】
入水前除草剤処理適期修正部１４２は、当年の葉齢が１．５葉になる日と入水前除草剤処理適期の始期とを比較し（Ｓ９１２）、当年の葉齢が１．５葉になる日の方が早い場合に、当年の葉齢が１．５葉になる日が入水前除草剤処理適期の始期となるように入水前除草剤処理適期を修正する（Ｓ９１３）。
【００８６】
入水前除草剤処理適期修正部１４２は、当年の葉齢が２．５葉になる日と入水前除草剤処理適期の終期とを比較し（Ｓ９１４）、当年の葉齢が２．５葉になる日の方が早い場合に、当年の葉齢が２．５葉になる日が入水前除草剤処理適期の終期となるように入水前除草剤処理適期を修正する（Ｓ９１５）。
【００８７】
入水前除草剤処理適期修正部１４２は、Ｓ９１４及びＳ９１５おいて上記の動作に代えて次の動作により入水前除草剤処理適期の終期を修正することもできる。すなわち、播種後除草剤処理日に基づいて、ヒエの葉齢が５．５葉になる日を算出する。入水前除草剤処理適期修正部１４２はヒエの葉齢が５．５葉になる日と、入水前除草剤処理適期の終期とを比較し、ヒエの葉齢が５．５葉になる日の方が早い場合に、ヒエの葉齢が５．５葉になる日が入水前除草剤処理適期の終期となるように入水前除草剤処理適期を修正する。
【００８８】
次に、図１０を参照して、入水前除草剤処理作業計画決定部１４６が、入水前除草剤処理作業計画を決定する動作を説明する。入水前除草剤処理作業時間算出部１４４が、田圃情報データベース１３の情報（田圃の広さ、形、周辺の農道の状況等）を用いて、入水前の除草剤処理作業に要する時間を算出する（Ｓ１０１１）。例えば、田圃の広さ及び形から除草剤処理作業機が田圃の端から端まで移動するのに要する時間及び移動回数並びに除草剤処理作業機のターン回数を算出し、除草剤処理作業機が田圃の端から端まで移動するのに要する時間と移動回数との積と、除草剤処理作業機がターンに要する時間とターン回数との積とを合計することにより除草剤処理作業時間を算出する。また、除草剤処理作業機が農道を移動する必要がある場合には、周辺の農道の状況から移動時間を算出して除草剤処理作業時間に加算する。入水前除草剤処理作業計画決定部１４６が、入水前の除草剤処理作業に要する時間を入水前除草剤処理適期（修正後）の日数で除することにより一日当たりの除草剤処理作業時間を決定する（Ｓ１０１２）。次に、不耕起直播栽培管理システム１の効果を説明する。
【００８９】
不耕起直播栽培管理システム１により、気象情報に基づいて、播種から入水までの農作業日程（播種日、播種後除草剤処理適期及び入水前除草剤処理適期）が決定される。稲の不耕起直播栽培においては、播種から入水までの栽培管理が良好であれば、高い確率で、予定された収穫を達成することができる。そのため、不耕起直播栽培管理システム１を適用することにより、農業従事者の勘と経験を要せずに稲の不耕起直播栽培を成功させることができる。
【００９０】
播種後除草剤処理適期決定部１２０及び入水前除草剤処理適期決定部１４０が、それぞれ、ＤＶＲ積算値（平年）及び葉齢（平年）に基づいて除草剤処理適期を決定することにより、好適な除草剤処理の時期を得ることができる。
【００９１】
播種後除草剤処理適期修正部１２２及び入水前除草剤処理適期修正部１４２が、それぞれ、ＤＶＲ積算値（当年）及び葉齢（当年）に基づいて除草剤処理適期を修正することにより、実際の稲の成長度に応じた好適な除草剤処理の時期を得ることができる。特に、実際に稲が発芽した後に播種後除草剤処理が行われると、稲に対して除草剤による薬害を生じさせる場合があるが、播種後除草剤処理適期修正部１２２が当年のＤＶＲ積算値に基づいて播種後除草剤処理適期の終期を調整することによりかかる事態を回避することができる。
【００９２】
播種後除草剤処理作業計画決定部１２６及び入水前除草剤処理作業計画決定部１４６が、田圃情報データベース１３の情報（田圃の広さ、形、周辺の農道の状況等）から算出された除草剤処理作業に要する時間を利用することにより、適切な除草剤処理作業計画を決定することができる。
【００９３】
不耕起直播栽培管理システム１を用いた上記の手順による栽培管理は、本発明の不耕起直播栽培管理方法の実施形態でもある。当該実施形態に係る不耕起直播栽培管理方法によれば、上記の不耕起直播栽培管理システム１における栽培管理と同一の作用及び効果を得られる。
【００９４】
次に、本発明の実施形態に係る不耕起直播栽培管理プログラム２及び不耕起直播栽培管理プログラム２を記録した記録媒体３について説明する。図１１は、本発明の実施形態に係る不耕起直播栽培管理プログラム２を記録した記録媒体３の構成図である。
【００９５】
記録媒体３のプログラム領域は、不耕起直播栽培管理プログラム２が記録されており、その構成要素として、発育速度積算モジュール２０４、葉齢算出モジュール２０６、播種日決定モジュール２０８、播種後除草剤処理適期決定モジュール２２０、播種後除草剤処理適期修正モジュール２２２、播種後除草剤処理作業時間算出モジュール２２４、播種後除草剤処理作業計画決定モジュール２２６、入水前除草剤処理適期決定モジュール２４０、入水前除草剤処理適期修正モジュール２４２、入水前除草剤処理作業時間算出モジュール２４４及び入水前除草剤処理作業計画決定モジュール２４６を備える。発育速度積算モジュール２０４、葉齢算出モジュール２０６、播種日決定モジュール２０８、播種後除草剤処理適期決定モジュール２２０、播種後除草剤処理適期修正モジュール２２２、播種後除草剤処理作業時間算出モジュール２２４、播種後除草剤処理作業計画決定モジュール２２６、入水前除草剤処理適期決定モジュール２４０、入水前除草剤処理適期修正モジュール２４２、入水前除草剤処理作業時間算出モジュール２４４及び入水前除草剤処理作業計画決定モジュール２４６は、それぞれ、後述のコンピュータを用いて実行することにより、上述の不耕起直播栽培管理システム１の発育速度積算部１０４、葉齢算出部１０６、播種日決定部１０８、播種後除草剤処理適期決定部１２０、播種後除草剤処理適期修正部１２２、播種後除草剤処理作業時間算出部１２４、播種後除草剤処理作業計画決定部１２６、入水前除草剤処理適期決定部１４０、入水前除草剤処理適期修正部１４２、入水前除草剤処理作業時間算出部１４４及び入水前除草剤処理作業計画決定部１４６と同一の機能を有する。また、記録媒体３のデータ領域には、地域・品種プロファイル表１１、ＤＶＲ値データベース１１ａ、地域・品種プロファイル表１２、ＤＶＲ値データベース１２ａ及び田圃データベース１３が記録されている。なお、データ領域の情報は別の記録媒体に記録されていてもよい。
【００９６】
図１２は、不耕起直播栽培管理プログラム２が実行されるコンピュータ４の物理的構成を示す図である。コンピュータ４は、物理的構成要素として、中央処理装置（ＣＰＵ）４２、オペレーティングシステムを常駐させた作業用メモリ４４、読み取り装置４６、ディスプレイ４７及び入力装置４８を備える。
【００９７】
記録媒体３が読み取り装置４６に挿入されると、記録媒体３に記録された情報が読み取り装置４６からアクセス可能となり、記録媒体３のプログラム領域に記録された不耕起直播栽培管理プログラム２が、コンピュータ４によって実行可能となり、コンピュータ４は、不耕起直播栽培管理システム１と同一の動作をし、同一の作用及び効果を有する。
【００９８】
【発明の効果】
以上説明したように、本発明の不耕起直播栽培管理システム、不耕起直播栽培管理方法、不耕起直播栽培管理プログラム及び不耕起直播栽培管理プログラムを記録した記録媒体によれば、稲の不耕起直播栽培において農業従事者の勘と経験を適用しなくても農作業日程を決定できる。
【図面の簡単な説明】
【図１】不耕起直播栽培管理システム１の機能的構成を示す図である。
【図２】地域・品種プロファイル表１１の内容を示す図である。
【図３】ＤＶＲ値データベース１１ａの内容を示す図である。
【図４】地域・品種プロファイル表１２の内容を示す図である。
【図５】ＤＶＲ値データベース１２ａの内容を示す図である。
【図６】不耕起直播栽培管理システム１の動作の手順を示す第１のフローチャートである。
【図７】不耕起直播栽培管理システム１の動作の手順を示す第２のフローチャートである。
【図８】不耕起直播栽培管理システム１の動作の手順を示す第３のフローチャートである。
【図９】不耕起直播栽培管理システム１の動作の手順を示す第４のフローチャートである。
【図１０】不耕起直播栽培管理システム１の動作の手順を示す第５のフローチャートである。
【図１１】不耕起直播栽培管理プログラム２を記録した記録媒体３の構成図である。
【図１２】不耕起直播栽培管理プログラム２が実行されるコンピュータ４の物理的構成を示す図である。
【符号の説明】
１…不耕起直播栽培管理システム、１０２…格納部、１０４…発育速度積算部、１０６…葉齢算出部、１０８…播種日決定部、１２０…播種後除草剤処理適期決定部、１２２…播種後除草剤処理適期修正部、１２４…播種後除草剤処理作業時間算出部、１２６…播種後除草剤処理作業計画決定部、１４０…入水前除草剤処理適期決定部、１４２…入水前除草剤処理適期修正部、１４４…入水前除草剤処理作業時間算出部、１４６…入水前除草剤処理作業計画決定部、１１、１２…地域・品種プロファイル表、１３…田圃データベース、２…不耕起直播栽培管理プログラム、２０４…発育速度積算モジュール、２０６…葉齢算出モジュール、２０８…播種日決定モジュール、２２０…播種後除草剤処理適期決定モジュール、２２２…播種後除草剤処理適期修正モジュール、２２４…播種後除草剤処理作業時間算出モジュール、２２６…播種後除草剤処理作業計画決定モジュール、２４０…入水前除草剤処理適期決定モジュール、２４２…入水前除草剤処理適期修正モジュール、２４４…入水前除草剤処理作業時間算出モジュール、２４６…入水前除草剤処理作業計画決定モジュール、３…記録媒体、４…コンピュータ、４２…ＣＰＵ、４４…作業用メモリ、４６…読み取り装置、４７…ディスプレイ、４８…入力装置。
【図１】
2004030449.tif 000003
【図２】
2004030449.tif 000004
【図３】
2004030449.tif 000005
【図４】
2004030449.tif 000006
【図５】
2004030449.tif 000007
【図６】
2004030449.tif 000008
【図７】
2004030449.tif 000009
【図８】
2004030449.tif 000010
【図９】
2004030449.tif 000011
【図１０】
2004030449.tif 000012
【図１１】
2004030449.tif 000013
【図１２】
2004030449.tif 000014